(57)【要約】第１の通貨建ての資産価値を安全に記憶し移送する第１の記憶媒体と、第１の通貨と異なる第２の通貨建ての資産価値を安全に記憶し移送する第２の記憶媒体とを含む、安全に資産記憶及び移送するシステムにおいて、第１の記憶媒体から第２の記憶媒体へ資産価値の安全な交換を可能にする方法である。ＦＯＲＥＸシステムは、第１の通貨建ての資産価値量を安全に記憶し移送する第３の記憶媒体と、第２の通貨建ての資産価値量を安全に記憶し移送する第４の記憶媒体と、を含む。第２の記憶媒体へ移送されるために第２の通貨建ての第１の資産価値量が決定される。ＦＯＲＥＸシステムは、第２の通貨建ての第２の資産価値量に基づいて、第１の通貨建ての第３の資産価値量を決定する。第１の記憶媒体は第３の資産価値量を第３の記憶媒体へ移送し、第４の記憶媒体は第２の資産価値量を第２の記憶媒体へ移送する。【選択図】図３
2015515675.tif 000002
【特許請求の範囲】
【請求項１】
第１の通貨建ての資産価値を安全に記憶し移送する第１の記憶媒体と、前記第１の通貨と異なる第２の通貨建ての資産価値を安全に記憶し移送する第２の記憶媒体とを含む、安全に資産記憶及び移送するシステムにおいて、前記第１の記憶媒体から前記第２の記憶媒体へ資産価値の安全な交換を可能にする方法であって、
前記第１の通貨建ての資産価値量を安全に記憶し移送する第３の記憶媒体と、前記第２の通貨建ての資産価値量を安全に記憶し移送する第４の記憶媒体と、を少なくとも含む、ＦＯＲＥＸシステムを提供するステップと、
前記第２の記憶媒体へ移送されるために前記第２の通貨建ての第１の資産価値量を決定するステップと、
前記第２の通貨建ての第２の資産価値量に基づいて、前記第１の通貨建ての第３の資産価値量を決定するために前記ＦＯＲＥＸシステムへ要求を送信するステップと、
前記第３の資産価値量を前記第３の記憶媒体へ移送するために前記第１の記憶媒体を制御するステップと、
前記第２の資産価値量を前記第２の記憶媒体へ移送するために前記第４の記憶媒体を制御するステップと、を含む、
方法。
【請求項２】
前記第１の資産価値量と前記第２の資産価値量は等しい、
請求項１に記載の方法。
【請求項３】
前記第１の資産価値量は前記第２の資産価値量と異なる、
請求項１に記載の方法。
【請求項４】
前記第２の資産価値量は、前記第１の資産価値量に追加料金を加算することにより計算される、
請求項３に記載の方法。
【請求項５】
安全に資産記憶及び移送するシステムであって、
第１の通貨建ての資産価値を安全に記憶し移送する第１の記憶媒体と、
前記第１の通貨と異なる第２の通貨建ての資産価値を安全に記憶し移送する第２の記憶媒体と
前記第１の通貨建ての資産価値量を安全に記憶し移送する第３の記憶媒体と、前記第２の通貨建ての資産価値量を安全に記憶し移送する第４の記憶媒体と、を少なくとも含む、ＦＯＲＥＸシステムと、
前記第２の記憶媒体へ移送されるために前記第２の通貨建ての第１の資産価値量を決定し、前記第２の通貨建ての第２の資産価値量に基づいて、前記第１の通貨建ての第３の資産価値量を決定するために前記ＦＯＲＥＸシステムへ要求を送信する、第１のプロセサと、
前記第３の資産価値量を前記第３の記憶媒体へ移送するために前記第１の記憶媒体を制御する第２のプロセサと、を含み、
前記ＦＯＲＥＸシステムは、前記第２の資産価値量を前記第２の記憶媒体へ移送するために前記第４の記憶媒体を制御する、
システム。
【請求項６】
前記第１のプロセサはポイント・オブ・セールス（ＰＯＳ）端末である、
請求項５に記載のシステム。
【請求項７】
前記第１の資産価値量と前記第２の資産価値量は等しい、
請求項５に記載のシステム。
【請求項８】
前記第１の資産価値量は前記第２の資産価値量と異なる、
請求項５に記載のシステム。
【請求項９】
前記第２の資産価値量は、前記第１の資産価値量に追加料金を加算することにより計算される、
請求項８に記載のシステム。
【請求項１０】
前記ＦＯＲＥＸシステムは、
ＦＯＲＥＸサーバと、
それぞれ異なる通貨建ての資産価値量を安全に記憶し移送する複数の記憶媒体と、を含む、
請求項５に記載のシステム。
【請求項１１】
前記ＦＯＲＥＸサーバは、
前記第１のプロセサから、第１の通貨建ての第１の資産価値を含む第１の価値移送メッセージを受信し、
前記第１の資産価値を記憶するために、前記複数の記憶媒体の第１の１つを制御し、
第２の通貨建ての第２の資産価値を含む第２の価値移送メッセージを生成するために、前記複数の記憶媒体の第２の１つを制御し、
前記第２の価値移送メッセージを前記第１のプロセサへ送る、
請求項６に記載のシステム。
【請求項１２】
それぞれ異なる通貨建ての資産価値量を安全に記憶し移送する複数の記憶媒体と、
ＦＯＲＥＸサーバと、を含み、
前記ＦＯＲＥＸサーバは、
第１のシステムから、第１の通貨建ての第１の資産価値を含む第１の価値移送メッセージを受信し、
前記第１の資産価値を記憶するために、前記複数の記憶媒体の第１の１つを制御し、
第２の通貨建ての第２の資産価値を含む第２の価値移送メッセージを生成するために、前記複数の記憶媒体の第２の１つを制御し、
前記第２の価値移送メッセージを前記第１のシステムへ送信する、
自動外国為替システム。
【請求項１３】
前記ＦＯＲＥＸサーバは、さらに
前記第１のシステムから、前記第２の通貨建ての第３の資産価値と、前記第１の通貨の識別子とを含む、第１の要求メッセージを受信し、
前記第３の資産価値を使用して前記第１の資産価値を計算し、
前記第１の通貨建ての前記第１の資産価値を含む第２の価値移送メッセージを前記第１のシステムへ送信する、
請求項１２に記載の自動外国為替システム。
【請求項１４】
前記第１のシステムは、ポイント・オブ・セールス（ＰＯＳ）端末である、
請求項１３に記載の自動外国為替システム。
【発明の詳細な説明】
【技術分野】
【０００１】
本発明は、システム内の参加者によって保持された店の間で安全な資産移動による支払いをするためのシステムに関し、特に、資産記憶と移送システムにおいて自動外国為替（Ｆｏｒｅｘ）機能を実装した方法とシステムに関する。
【背景技術】
【０００２】
図１Ａと図１Ｂとを参照すると、出願人のＰＣＴ特許公報番号ＷＯ２０１１／０３２２５７およびＷＯ２０１１／０３２２７１、この両方の出版物の全内容は参照によってこれによってここに組入れられるが、に従って、資産記憶と移送システム２は、通信媒体６を通ってメッセージを交換するように構成される、少なくとも２つの記憶媒体（ｓｔｏｒａｇｅ  ｍｅｄｉａ）４を含む。各記憶媒体４は、入出力（Ｉ／Ｏ）インターフェース８と、コントローラ１０と、メモリ１２と、を含む。Ｉ／Ｏインターフェース８は、記憶媒体４を、通信媒体６を通ってメッセージを送信および受信できるようにする。コントローラ１０は、記憶媒体４へ内容の移送を記録し、記憶媒体４から内容を移送するために、受信したメッセージに応答する。メモリ１２は、記憶媒体４の一意（ユニーク）なそれぞれの識別子１４と、秘密鍵１６と、記憶媒体４に一意に割り当てられた証明書（ｃｅｒｔｉｆｉｃａｔｅ）１８と、記憶媒体４へまたは記憶媒体４から移送する内容のログ２０と、記憶媒体の通貨価値（Ｃｕｒ．Ｖａｌ）２２と、を記憶する。
【０００３】
秘密鍵１６および証明書１８は、例えば、良く知られた公開鍵インフラストラクチャ（ＰＫＩ）技術を使用する、暗号化およびデジタル署名機能の機能的な使用を容易にする。この目的のために、秘密鍵１６および証明書１８は、例えばベリサイン（登録商標）のように、信頼された発行機関によって典型的に生成されるであろう。
【０００４】
記憶媒体４は、配布と個人による使用に適した物理デバイスとして構築されるかもしれないことが予想される。多様なこのようなデバイスは、例えば商人（ｍｅｒｃｈａｎｔ）によって使用されてもよい。記憶媒体４は、図１Ｂに示すように、データネットワーク２６を通る通信のための利用者の通信装置２４に接続するように構成してもよい。このようなパーソナライズされた記憶媒体４は、スマート・カード、ＵＳＢフラッシュ・ドライブ、あるいはメモリカード、これらに限定されないが、その中に一般的に使用される要素を形成することを含む、任意の適切な形成要素の中に製造されてもよい。Ｉ／Ｏインターフェース８は、例えばユニバーサルシリアルデータ（ＵＳＢ）あるいはミニＵＳＢ接続、ブルートゥース（登録商標）あるいは赤外線無線接続のような、任意の適切な通信リンクとして提供することができる。所望により他の接続技術が使用されてもよい。好ましくは、Ｉ／Ｏインターフェース８は、利用者が記憶媒体４を通信装置２４へまたは通信装置２４から簡単に信頼性高く接続し分離することができるように設計される。そして接続された場合、記憶媒体４と通信装置との間の情報の安全な移送を容易にする。この理由のために、無線インターフェース技術が使用される実施例では、必要電力を縮小し、かつセキュリティを増強するように、無線接続が非常に制限された距離（例えば約１０ｃｍ以下）にわたって動作することが望ましい。様々な既知の無線周波数の電磁気あるいは磁気結合技術はこの距離で無線接続を実装するために使用されてもよい。
【０００５】
通信装置２４は、パーソナルコンピュータ（ＰＣ）、ノートブック型パーソナルコンピュータ、携帯情報端末（ＰＤＡ） 、携帯電話、スマートフォン、ポイント・オブ・セールス（ＰＯＳ）機器等を、これらに限定されないが含み、任意の適切な形態を取る。
【０００６】
コントローラ１０およびメモリ１２は、例えば、既知の加入者識別モジュール（ＳＩＭ）技術を使用した安全モジュール３０として構成してもよい。しかし、これは必須ではない。好ましくは、コントローラ１０とメモリ１２を破壊することなしに、コントローラ１０とメモリ１２が記憶媒体４から取り外すことができないように、記憶媒体４は形成される。コントローラ１０とメモリ１２の構成のためにＳＩＭ技術を使用することは有益であり、絶対に破壊されない（安全モジュール３０全体の機能を破壊することなしに、これは利用者に不便であるが、安全を維持する）ように、また、秘密鍵１６を発見する、またはログ、通貨内容（Ｃｕｒ．Ｖａｌ）、または記憶媒体４の動作を改変するために記憶媒体４を「ハック」またはリバース・エンジニアリングをすることは実用的ではないように、ＩＤ１４と、秘密鍵１６と、証明書１８とが、記憶媒体４に永続的に保存されることを可能にする。その結果、システム２の各利用者は、任意の与えられた記憶媒体４の、ＩＤ１４と、秘密鍵１６と、証明書１８との間の関連付けは一意であり、不正に複製できないことを、信じるための十分な理由を持つ。
【０００７】
図１Ａ、Ｂのシステムは、個別の人及び／または商人を含む、利用者間の資産価値量の安全で信頼性の高い移送を可能にする。したがって、例えば、図２は、ＰＯＳ端末２８が利用者Ａをオンライン購入ができるようにデータネットワーク２６に接続され、さらに、利用者Ｂを店舗内の購入が完了するように読み取り装置（ｒｅａｄｅｒ）３０に接続される、可能なシナリオを示す。ＰＯＳ端末２８はまた、商人によって所有された１つまたはそれ以上の記憶媒体４を受け入れるように設計されたマーチャントボックス３２に接続されてもよい。この配置により、利用者ＡとＢは、商人の記憶媒体４ｍへ適切な資産価値量を移送するために、彼らのそれぞれの記憶媒体４ａ、４ｂを使用して購入トランザクションを完了することができる。
【０００８】
しかしながら、このアプローチの限界は、（利用者ＡとＢと商人とにも所有された）それぞれの関連する記憶媒体４に記憶された資産価値量は同じ通貨建てであることを想定していることである。原則として、商人は、それぞれの１つがそれぞれの異なる通貨建てである、複数の異なる記憶媒体４ｍを接続するために商人ボックスを使用することができる。しかし、これは商人にとって不便であり、商人はすべての可能な通貨建ての記憶媒体を所有することは非現実的であるため、部分的な解決策しか提供しない。
【０００９】
この制限に対処するための技術が望まれている。
【００１０】
＜関連出願の相互参照＞
本出願は、２０１２年３月１９日に出願された米国仮特許出願第６１／６１２７７９号に基づいて、その利益を主張し、同出願の内容全体は、本明細書に参照によりここに取り入れられる。
【発明の概要】
【課題を解決するための手段】
【００１１】
本発明の１つの面は、第１の通貨建ての資産価値を安全に記憶し移送する第１の記憶媒体と、第１の通貨と異なる第２の通貨建ての資産価値を安全に記憶し移送する第２の記憶媒体とを含む、安全に資産記憶及び移送するシステムにおいて、第１の記憶媒体から第２の記憶媒体へ資産価値の安全な交換を可能にする方法を提供する。ＦＯＲＥＸシステムは、第１の通貨建ての資産価値量を安全に記憶し移送する第３の記憶媒体と、第２の通貨建ての資産価値量を安全に記憶し移送する第４の記憶媒体と、を少なくとも含むように提供される。第２の記憶媒体へ移送されるために第２の通貨建ての第１の資産価値量が決定される。第２の通貨建ての第２の資産価値量に基づいて、第１の通貨建ての第３の資産価値量を決定するためにＦＯＲＥＸシステムへ要求が送信される。第３の資産価値量を第３の記憶媒体へ移送するために第１の記憶媒体が制御され、第２の資産価値量を第２の記憶媒体へ移送するために第４の記憶媒体が制御される。
【００１２】
本発明のさらなる特徴および利点は、添付の図面と組み合わせて、以下の詳細な説明から明らかになるであろう。
添付の図面を通じて、同じような特徴は同じ参照番号によって識別されることに留意されたい。
【図面の簡単な説明】
【００１３】
【図１Ａ】資産記憶及び移送システムを概略的に示すブロック図である。
【図１Ｂ】資産記憶及び移送システムを概略的に示すブロック図である。
【図２】図１Ａと図１Ｂの資産記憶及び移送システムを利用した商人環境を概略的に示すブロック図である。
【図３】自動ＦＯＲＥＸ機能を利用した商人環境を概略的に示すブロック図である。
【図４Ａ】図３の自動ＦＯＲＥＸ機能の代表的な機能を示すメッセージフロー図である。
【図４Ｂ】図３の自動ＦＯＲＥＸ機能の代表的な機能を示すメッセージフロー図である。
【図５Ａ】図３の自動ＦＯＲＥＸ機能の別の代表的な機能を示すメッセージフロー図である。
【図５Ｂ】図３の自動ＦＯＲＥＸ機能の別の代表的な機能を示すメッセージフロー図である。
【発明を実施するための形態】
【００１４】
図３を参照すると、自動化された外国為替（ＦＯＲＥＸ）機能を利用した、代表的な資産記憶と移送システムが示される。図３に見られるように、自動ＦＯＲＥＸ機能は、データネットワーク２６に接続されたＦＯＲＥＸディーラーサーバ３４と、複数の個別の記憶媒体４ｄを組み込むまたは実装する大容量記憶媒体３６とによって提供される。この場合、大容量記憶媒体３６によって実装された記憶媒体４ｄは、適切な接続を介してサーバ３４へ接続された物理装置、または本出願人のＰＣＴ特許公報ＷＯ２０１１／０３２２５７とＷＯ２０１１／０３２２７１に記載されたタイプの仮想装置の形態をとることができる。
【００１５】
図３の環境での資産価値量の移送を管理するために、（個別の利用者ＡとＢ、商人、またはＦＯＲＥＸディーラーのいずれかに所有された）各記憶媒体４は、メモリ１２は通貨価値（Ｃｕｒｒ．Ｖａｌ）２２が建られる通貨を示すために使用される追加フィールドを含むという点で、図１、２のそれらと異なる。したがって、図３の例では、ＰＯＳ端末は、ＩＤ＝６６７７で円建ての記憶媒体４ｍを有する。利用者Ａは、ＰＯＳ端末２８と共にオンライン・トランザクションのためにデータネットワーク２６に接続されているが、ドル建ての記憶媒体４ａを有する。利用者Ｂは、円建ての記憶媒体４ｂを有し、店舗内の購入を完了することができる。ＦＯＲＥＸディーラーは、ＩＤ＝１２３４で円建ての記憶媒体と、ＩＤ＝２３４５でユーロ建ての記憶媒体と、ＩＤ＝３４５６でポンド建ての記憶媒体と、ＩＤ＝４５６７でドル建ての記憶媒体と、を含む、複数の記憶媒体４ｄを有する。
【００１６】
図３の例では、利用者Ｂの記憶媒体４ｂは商人の記憶媒体と同じ通貨建てであり、そのため利用者Ｂは、本出願人のＰＣＴ特許公報ＷＯ２０１１／０３２２５７とＷＯ２０１１／０３２２７１に記載されたように、商人のＰＯＳ端末２８での購入を完了することができる。
【００１７】
図４Ａと図４Ｂは、ＦＯＲＥＸディーラーにより有効にされた自動ＦＯＲＥＸ機能を使用して、利用者Ａが商人とのトランザクションを完了することができる、代表的な処理のメッセージフロー図を示す。
【００１８】
図４を参照すると、第１のステップ（Ｓ４０）において、利用者Ａは、彼らが購入したいアイテムを選択するマーチャントシステムと電子商取引のセッションに参加するために彼らの通信装置２４ａを使用する。セッションの最後に、マーチャントシステムは、移送される資産価値（Ｖａｌ）と、商人記憶媒体４ｍのＩＤ（６６７７）と、要求された資産価値の金種（￥）とを含む、支払いの要求を（ステップＳ４２で）送信する。しかし、利用者Ａの記憶媒体４ａはドル建てである。したがって、要求メッセージを処理する上で、利用者Ａの記憶媒体４ａは、ドルでの支払いだけを行うことができることを示す、「失敗」メッセージを（ステップＳ４４において）返信する。「失敗」メッセージを受信すると、マーチャントシステムは、ＦＯＲＥＸディーラーへ要求メッセージを（ステップＳ４６において）送信する。このメッセージは、商人に移送される資産価値（Ｖａｌ）と、商人の記憶媒体４ｍのＩＤ（６６７７）と、要求された資産価値の金種（￥）と 、利用者Ａの記憶媒体４ａにより支払いができる金種（＄）と、を含む。
【００１９】
要求メッセージを受信すると、ＦＯＲＥＸディーラーは、支払いを行うことが可能な金種（＄）で対応する資産価値（Ｖａｌ２）を計算するために、要求された資産価値（Ｖａｌ）及び金種（￥）を使用し、この情報（適切なディーラー記憶媒体４ｄのＩＤ「４５６７」と共に）と共に要求メッセージをマーチャントシステムへ（ステップＳ４８において）送信する。ステップＳ５０において、マーチャントシステムはこの要求メッセージを利用者Ａの通信装置２４ａへ転送する。利用者Ａの記録媒体４ａは、移送アウトプロセスを実行することにより、要求メッセージに（ステップＳ５２において）応答し、それにより、移送される要求された価値（Ｖａｌ２）と、移送される金種（＄）の量と、利用者Ａの記憶媒体４ａのＩＤと、その量が移送される記憶媒体のＩＤ（４５６７）と、セキュリティ目的のための証明書とノンス（ｎｏｎｃｅ）と、を含む、価値移送メッセージを（ステップＳ５４において）生成する。ステップＳ５６において、マーチャントシステムはこの価値移送メッセージをＦＯＲＥＸディーラーのサーバ３４へ転送し、それが今度は、適切な金種（＄）で移送された価値（Ｖａｌ２）を受信し記録するために、ディーラー記憶媒体ＩＤ：４５６７において移送イン処理を（ステップＳ５８において）トリガする。（ステップＳ５８において）移送イン処理が正常に完了すると、ディーラー記憶媒体ＩＤ：４５６７はＦＯＲＥＸディーラーのサーバ３４へ「成功」メッセージを（ステップＳ６０において）返信する。
【００２０】
図４Ｂに継続して、ディーラー記憶媒体ＩＤ：４５６７からの「成功」メッセージを受信すると、ＦＯＲＥＸディーラーのサーバ３４は、ディーラー記憶媒体ＩＤ：１２３４から移送アウト処理を（ステップＳ６４において）トリガするために要求メッセージを（ステップＳ６２において）発行する。それは、商人によって要求された資産価値（Ｖａｌ）と、要求された金種（￥）の量と、ディーラーの記憶媒体に関連したＩＤ（１２３４）と、その量が移送される商人の記憶媒体のＩＤ（６６７７）と、セキュリティ目的のための証明書とノンスと、を含む、価値移送メッセージ生成するためである。そして、この価値移送メッセージは、マーチャントシステム２８へ（ステップＳ６６において）送信され、適切な金種（￥）で移送される価値（Ｖａｌ）を受信し記録するために、商人の記憶媒体４ｍで（ステップＳ６８において）移送イン処理をトリガする。（ステップＳ６８において）移送イン処理が正常に完了すると、商人の記憶媒体４ｍは、トランザクションを完了するために利用者Ａの通信装置２４ａとＦＯＲＥＸディーラーのサーバ３４へ転送することができる、「成功」のメッセージを、返信することができる。
【００２１】
図５Ａと５Ｂは、図４Ａと４Ｂのそれとは異なり、商人がＦＯＲＥＸ機能を経由して支払いを受け入れるために料金を顧客に請求することを可能にする、第２のシナリオを示す。さらに、図５Ａと５Ｂのシナリオは、要望されたように（または、たとえば、商人とＦＯＲＥＸディーラーとの間で交渉されたように）、トランザクションの間に固定または変動のいずれかの為替レートを許容する。
【００２２】
図５Ａを参照すると、最初のステップ（Ｓ４０）において、利用者Ａは、彼らが購入したいアイテムを選択するためにマーチャントシステムと電子商取引のセッションに参加するために、彼らの通信装置２４ａを使用する。セッションの最後に、マーチャントシステムは、移送されるべき資産価値（Ｖａｌ）と、商人の記憶媒体４ｍのＩＤ（６６７７）と、要求された資産価値の金種（￥）を含む、支払いの要求を（ステップＳ４２において）送信する。しかし、利用者Ａの記憶媒体４ａはドル建てである。したがって、要求メッセージを処理すると、利用者Ａの記憶媒体４ａは、ドルで支払いを行うことだけができることを示す、「失敗」メッセージを（ステップＳ４４において）返信する。「失敗」メッセージを受信すると、マーチャントシステムは、ＦＯＲＥＸディーラーへ要求メッセージを（ステップＳ４６において）送信する。このメッセージは、商人が受け取ることを望む資産価値（Ｖａｌ＋）（利用者Ａから要求された当初の資産価値に「ＦＯＲＥＸ料金」を加えたものを含む）と、商人の記憶媒体４ｍのＩＤ（６６７７）と、要求された資産価値の金種（￥）と、利用者Ａにより支払いがされることができる金種（＄）と、を含む。
【００２３】
要求メッセージを受信すると、ＦＯＲＥＸディーラーはトランザクション識別子としてのノンスと、トランザクションのための為替レートＲ（為替レートはトランザクションの間に固定されている場合）と、を割り当てる。その後ＦＯＲＥＸディーラーは、支払いを行うことが可能な金種（＄）で対応する資産価値（Ｖａｌ２）を計算するために、要求された資産価値（Ｖａｌ＋）と為替レートＲとを使用し、この情報（適切なディーラー記憶媒体のＩＤ「４５６７」とノンスと共に）と共に要求メッセージをマーチャントシステム２８へ（ステップＳ７２において）送信する。ステップＳ７４において、マーチャントシステムはこの要求メッセージを利用者Ａの通信装置２４ａへ転送する。利用者Ａの通信装置２４ａは、移送アウト処理を実行することにより、要求メッセージに（ステップＳ７６において）応答し、そして、移送する要求された価値（Ｖａｌ２）と、移送される金種（＄）の量と、利用者Ａの記憶媒体４ａのＩＤと、その量が移送される記憶媒体のＩＤ「４５６７」と、セキュリティ目的のための証明書とノンス（ＦＯＲＥＸディーラーによって割り当てられたトランザクションＩＤ）と、を含む価値移送メッセージを（ステップＳ７８において）生成する。ステップＳ８０において、マーチャントシステムは、この価値移送メッセージをＦＯＲＥＸディーラーのサーバ３４へ転送する。価値移送メッセージを受信すると、ＦＯＲＥＸディーラーのサーバ３４は、ノンスを使用して価値移送メッセージを（ステップＳ８２において）検証し、ステップＳ４６において商人により開始されたトランザクションとそれを関連付ける。検証が成功すると、ＦＯＲＥＸディーラーのサーバ３４は、適切な金種（＄）で移送された価値（Ｖａｌ２）を受信し記録するために、ディーラーの記憶媒体４５６７で移送イン処理を（図５ＢのステップＳ８４において）トリガする。
【００２４】
図５Ｂに継続して、（ステップＳ８４において）移送イン処理が成功して完了すると、ディーラーの記憶媒体４５６７は「成功」メッセージをＦＯＲＥＸディーラーのサーバ３４へ（ステップＳ８６において）返信する。ディーラーの記憶媒体４５６７からの「成功」メッセージを受信すると、ＦＯＲＥＸディーラーのサーバ３４は、商人へ移送される価値（Ｖａｌ３）を適切な金種（￥）で（ステップＳ８８において）計算するために、ステップＳ７０においてトランザクションに割り当てられた為替レートＲを使用することができる。為替レートＲがトランザクションの間に固定されている場合では、Ｖａｌ３は、ステップＳ４６において商人によって要求されたＶａｌ＋に等しくなる。一方、為替レートＲがトランザクションの間に変動することが許可されている場合では、Ｖａｌ３は、ステップＳ４６において商人によって要求されたＶａｌ＋と異なるかもしれない。いずれの場合も、ＦＯＲＥＸディーラーのサーバ３４は、商人に移送される資産価値（Ｖａｌ３）と、移送される金種（￥）の量と、関連するディーラーの記憶媒体のＩＤ（１２３４）と、その量が移送される商人の記憶媒体のＩＤ（６６７７）と、セキュリティ目的のための証明書とノンス（トランザクションＩＤ）と、含む、価値移送メッセージの生成するために、その後、ディーラー記憶媒体１２３４から（ステップＳ９０において）移送アウト処理をトリガする。その後、この価値移送メッセージはマーチャントシステム２８へ（ステップＳ９２において）送信され、それが、適切な金種（￥）で移送されている価値（Ｖａｌ３）を受信し記録するために、商人の記憶媒体４ｍでの（ステップＳ９４において）移送イン処理をトリガする。（ステップＳ９４において）移送イン処理が成功して完了すると、商人の記憶媒体４ｍは、トランザクションを完了するために利用者Ａの通信装置２４ａとＦＯＲＥＸディーラーのサーバ３４に移送することができる、「成功」メッセージを、返信することができる。
【００２５】
理解されるように、上述のシナリオの両方で、トランザクションの追跡を継続するために、及び／または、利用者ＡもしくはＦＯＲＥＸディーラーのいずれか、または両者から受信した価値移送メッセージの検証を可能にするために、必要に応じて、Ｓ４２、Ｓ４６、またはＳ７４において送信された要求メッセージの中へ自身のセキュリティ機能（例えばノンス）を挿入することができる。
【００２６】
実施形態は、商人が顧客の記憶媒体４が支払をすることができるものとは異なる通貨で支払いを受けることを希望するシナリオに基づいている。これらのシナリオでは、商人のシステム２８は、外貨両替を実行するためにＦＯＲＥＸサーバ３４と通信する。しかしながら、上述した技術は、このようなシナリオに限定されるものではなく、むしろ異なる通貨建ての価値量の自動化された交換を安全に実行することが望まれる任意のシナリオに等しく適用することができることが理解されるであろう。
【００２７】
上述した本発明の実施形態は、単なる例示であることが意図される。したがって、本発明の範囲は、添付の特許請求の範囲によってのみ限定されるものである。
【符号の説明】
【００２８】
２  資産記憶と移送システム
４、４ａ、４ｂ、４ｍ  記憶媒体
６  通信媒体
８  入出力インターフェース
１０  コントローラ
１２  メモリ
１４  識別子
１６  秘密鍵
１８  証明書
２０  ログ
２２  通貨価値（Ｃｕｒ．Ｖａｌ）
２４ａ、２４ｂ  通信装置
２６  データネットワーク
２８  ＰＯＳ端末
３０  読み取り装置
３２  マーチャントボックス
３４  ＦＯＲＥＸディーラーのサーバ
３６  大容量記憶媒体
【図１Ａ】
2015515675.tif 000003
【図１Ｂ】
2015515675.tif 000004
【図２】
2015515675.tif 000005
【図３】
2015515675.tif 000006
【図４Ａ】
2015515675.tif 000007
【図４Ｂ】
2015515675.tif 000008
【図５Ａ】
2015515675.tif 000009
【図５Ｂ】
2015515675.tif 000010
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
第１の通貨建ての資産価値を安全に記憶し移送するよう設定された第１の記憶媒体と、前記第１の通貨と異なる第２の通貨建ての資産価値を安全に記憶し移送するよう設定された第２の記憶媒体とを備える、安全な資産記憶及び移送システムにおいて、前記第１の記憶媒体から前記第２の記憶媒体へ資産価値の安全な交換を可能にする方法であって、
前記第１の通貨建ての資産価値の額を安全に記憶し移送するよう設定された第３の記憶媒体と、前記第２の通貨建ての資産価値の額を安全に記憶し移送するよう設定された第４の記憶媒体と、を少なくとも備える、ＦＯＲＥＸシステムを提供することと、
前記第２の記憶媒体へ移送されるべき前記第２の通貨建ての第１の資産価値の額を決定することと、
前記第２の通貨建ての第２の資産価値の額に基づいて、前記第１の通貨建ての第３の資産価値の額を決定するため、前記ＦＯＲＥＸシステムへ要求を送信することと、
前記第１の記憶媒体を制御して前記第３の資産価値の額を前記第３の記憶媒体へ移送することと、
前記第４の記憶媒体を制御して前記第２の資産価値の額を前記第２の記憶媒体へ移送することと、
を含む、方法。
【請求項２】
前記第１の資産価値の額と前記第２の資産価値の額は等しい、請求項１に記載の方法。
【請求項３】
前記第１の資産価値の額は前記第２の資産価値の額と異なる、請求項１に記載の方法。
【請求項４】
前記第２の資産価値の額は、前記第１の資産価値の額に追加の額を加算することにより計算される、請求項３に記載の方法。
【請求項５】
安全な資産記憶及び移送システムであって、
第１の通貨建ての資産価値を安全に記憶し移送するよう設定された第１の記憶媒体と、
前記第１の通貨と異なる第２の通貨建ての資産価値を安全に記憶し移送するよう設定された第２の記憶媒体と
前記第１の通貨建ての資産価値の額を安全に記憶し移送するよう設定された第３の記憶媒体と、前記第２の通貨建ての資産価値の額を安全に記憶し移送するよう設定された第４の記憶媒体と、を少なくとも備える、ＦＯＲＥＸシステムと、
前記第２の記憶媒体へ移送されるべき前記第２の通貨建ての第１の資産価値の額を決定し、前記第２の通貨建ての第２の資産価値の額に基づいて、前記第１の通貨建ての第３の資産価値の額を決定するために前記ＦＯＲＥＸシステムへ要求を送信する、第１のプロセサと、
前記第３の資産価値の額を前記第３の記憶媒体へ移送するために前記第１の記憶媒体を制御する第２のプロセサと、を備え、
前記ＦＯＲＥＸシステムは、前記第２の資産価値の額を前記第２の記憶媒体へ移送するために前記第４の記憶媒体を制御する、
前記システム。
【請求項６】
前記第１のプロセサはポイント・オブ・セールス（ＰＯＳ）端末である、請求項５に記載のシステム。
【請求項７】
前記第１の資産価値の額と前記第２の資産価値の額は等しい、請求項５に記載のシステム。
【請求項８】
前記第１の資産価値の額は前記第２の資産価値の額と異なる、請求項５に記載のシステム。
【請求項９】
前記第２の資産価値の額は、前記第１の資産価値の額に追加の額を加算することにより計算される、請求項８に記載のシステム。
【請求項１０】
前記ＦＯＲＥＸシステムは、
ＦＯＲＥＸサーバと、
それぞれ異なる通貨建ての資産価値の額を安全に記憶し移送するよう設定された複数の記憶媒体と、
を備える、請求項５に記載のシステム。
【請求項１１】
前記ＦＯＲＥＸサーバは、
前記第１のプロセサから、第１の通貨建ての第１の資産価値を含む第１の価値移送メッセージを受信し、
前記第１の資産価値を記憶するために、前記複数の記憶媒体の第１の１つを制御し、
第２の通貨建ての第２の資産価値を含む第２の価値移送メッセージを生成するために、前記複数の記憶媒体の第２の１つを制御し、
前記第２の価値移送メッセージを前記第１のプロセサへ送る、
よう設定されている、請求項６に記載のシステム。
【請求項１２】
それぞれ異なる通貨建ての資産価値の額を安全に記憶し移送するよう設定された複数の記憶媒体と、
ＦＯＲＥＸサーバと、を含み、
前記ＦＯＲＥＸサーバは、
第１のシステムから、第１の通貨建ての第１の資産価値を含む第１の価値移送メッセージを受信し、
前記第１の資産価値を記憶するために、前記複数の記憶媒体の第１の１つを制御し、
第２の通貨建ての第２の資産価値を含む第２の価値移送メッセージを生成するために、前記複数の記憶媒体の第２の１つを制御し、
前記第２の価値移送メッセージを前記第１のシステムへ送信する、
よう設定されている、自動外国為替システム。
【請求項１３】
前記ＦＯＲＥＸサーバは、さらに
前記第１のシステムから、前記第２の通貨建ての第３の資産価値と、前記第１の通貨の識別子とを含む、第１の要求メッセージを受信し、
前記第３の資産価値を使用して前記第１の資産価値を計算し、
前記第１の通貨建ての前記第１の資産価値を含む第２の価値移送メッセージを前記第１のシステムへ送信する、
よう設定されている、請求項１２に記載の自動外国為替システム。
【請求項１４】
前記第１のシステムは、ポイント・オブ・セールス（ＰＯＳ）端末である、請求項１３に記載の自動外国為替システム。
【国際調査報告】
2015515675.tif 000011
2015515675.tif 000012